(57)【要約】【課題】蒸発器に対し、燃料電池の負荷によらず蒸発に必要な熱量の供給を可能とする。【解決手段】燃料電池システムＳは、燃料電池スタック１と、燃料電池スタック１のオフガス中の残燃料を燃焼させる燃焼器４と、燃焼器４に対し、残燃料の燃焼ガスが有する熱量により燃料電池の原燃料を加熱可能に接続された蒸発器４と、燃料電池システムＳに対する原燃料および酸化剤ガスの供給を制御するコントローラ１０１と、を備える。燃料電池スタック１の要求出力Ｐに応じた原燃料の流量を必要流量として、負荷の低下に対し、原燃料の必要流量に対する実際の流量の比である燃料過剰率ηを、排気熱流をＡとし、蒸発器における熱交換効率をＢとし、燃料蒸発熱流をＣとして、Ａ×Ｂ／Ｃ＞１となる燃料過剰率ηに制御する。【選択図】図５
2020009723.tif 000002
【特許請求の範囲】
【請求項１】
燃料電池と、
前記燃料電池のアノード排出通路およびカソード排出通路に接続され、前記燃料電池のオフガス中の残燃料を燃焼させる燃焼器と、
前記燃料電池の原燃料を、前記燃料電池への供給前に蒸発させる蒸発器であって、前記燃焼器に対し、前記残燃料の燃焼ガスが有する熱量により前記原燃料を加熱可能に接続された蒸発器と、
前記蒸発器に前記原燃料を供給する燃料供給装置と、
前記燃料電池に酸化剤ガスを供給する酸化剤ガス供給装置と、
前記燃料供給装置および前記酸化剤ガス供給装置を制御する供給制御部と、
を備え、
前記供給制御部は、前記燃料電池の要求出力に応じた前記原燃料の流量を必要流量として、前記燃料電池の負荷の低下に対し、前記原燃料の前記必要流量に対する実際の流量の比である燃料過剰率を、前記蒸発器の入口側で前記燃焼ガスが有する排気熱流をＡとし、前記蒸発器における前記原燃料と前記燃焼ガスとの熱交換効率をＢとし、前記蒸発器における前記原燃料の蒸発に要する燃料蒸発熱流をＣとして、Ａ×Ｂ／Ｃ＞１となる燃料過剰率に制御する、
燃料電池システム。
【請求項２】
請求項１に記載の燃料電池システムであって、
前記供給制御部は、
外気温および大気圧を取得する手段を有し、
前記燃料電池の要求出力、外気温および大気圧に基づき、前記燃料過剰率を算出し、
前記燃料供給装置に対し、前記燃料過剰率に応じた流量の前記原燃料を供給させる信号を出力する、
燃料電池システム。
【請求項３】
請求項１に記載の燃料電池システムであって、
前記供給制御部は、
前記蒸発器の入口側における前記原燃料の流量および温度のうち少なくとも一方を含む前記原燃料の状態量を取得する手段を有し、
前記燃料過剰率の制御に、前記原燃料の状態量を反映させ、
前記燃料供給装置に対し、前記燃料過剰率に応じた流量の前記原燃料を供給させる信号を出力する、
燃料電池システム。
【請求項４】
請求項１に記載の燃料電池システムであって、
前記供給制御部は、
前記蒸発器の入口側における前記燃焼ガスの流量および温度のうち少なくとも一方を含む前記燃焼ガスの状態量を取得する手段を有し、
前記燃料過剰率の制御に、前記燃焼ガスの状態量を反映させ、
前記燃料供給装置に対し、前記燃料過剰率に応じた流量の前記原燃料を供給させる信号を出力する、
燃料電池システム。
【請求項５】
燃料電池と、
前記燃料電池のアノード排出通路およびカソード排出通路に接続され、前記燃料電池のオフガス中の残燃料を燃焼させる燃焼器と、
前記燃料電池の原燃料を、前記燃料電池への供給前に蒸発させる蒸発器であって、前記燃焼器に対し、前記残燃料の燃焼ガスが有する熱量により前記原燃料を加熱可能に接続された蒸発器と、
前記蒸発器に前記原燃料を供給する燃料供給装置と、
前記燃料電池に酸化剤ガスを供給する酸化剤ガス供給装置と、
前記燃料供給装置および前記酸化剤ガス供給装置を制御する供給制御部と、
を備え、
前記供給制御部は、前記燃料電池の要求出力に応じた前記原燃料の流量を必要流量として、前記原燃料の前記必要流量に対する実際の流量の比である燃料過剰率を、前記燃料電池の負荷の低下に対して増大させる、
燃料電池システム。
【請求項６】
請求項１〜５のいずれか一項に記載の燃料電池システムであって、
前記供給制御部は、前記燃料電池の出口温度の上昇に対し、前記酸化剤ガスの流量を増大させる、
燃料電池システム。
【請求項７】
請求項１〜５のいずれか一項に記載の燃料電池システムであって、
前記供給制御部は、前記燃料電池の負荷の低下に対し、前記燃料過剰率を増大させるとともに、前記酸化剤ガスの流量の、前記原燃料の流量に対する比を増大させる、
燃料電池システム。
【請求項８】
請求項１〜７のいずれか一項に記載の燃料電池システムであって、
前記供給制御部は、
外気温を取得する手段を有し、
前記外気温の上昇に対し、前記燃料過剰率を減少させる、
燃料電池システム。
【請求項９】
請求項１〜８のいずれか一項に記載の燃料電池システムであって、
前記供給制御部は、
大気圧を取得する手段を有し、
前記大気圧の上昇に対し、前記燃料過剰率を増大させる、
燃料電池システム。
【請求項１０】
燃料電池の原燃料を、前記燃料電池への供給前に蒸発させる蒸発器を備える燃料電池システムの制御方法であって、
前記原燃料を前記蒸発器に供給し、
前記燃料電池のオフガス中の残燃料を燃焼させ、
前記燃焼により生じた前記残燃料の燃焼ガスを前記蒸発器に供給し、
前記蒸発器において、前記原燃料を前記燃焼ガスとの熱交換により加熱し、
前記原燃料の供給に際し、前記燃料電池の要求出力に応じた前記原燃料の流量を必要流量として、前記燃料電池の負荷の低下に対し、前記原燃料の前記必要流量に対する実際の供給流量の比である燃料過剰率を、前記蒸発器の入口側で前記燃焼ガスが有する熱流をＡとし、前記蒸発器における前記原燃料と前記燃焼ガスとの熱交換効率をＢとし、前記蒸発器における前記原燃料の蒸発に要する熱流をＣとして、Ａ×Ｂ／Ｃ＞１となる燃料過剰率に制御する、
燃料電池システムの制御方法。
【発明の詳細な説明】
【技術分野】
【０００１】
本発明は、原燃料を蒸発させる蒸発器を備える燃料電池システムおよびその制御方法に関する。
【背景技術】
【０００２】
特許文献１には、原燃料を燃料電池への供給前に蒸発させるための蒸発器ないし気化器を備えるものとして、メタノールまたはガソリン等の炭化水素系燃料を原燃料とする次のような燃料電池システムが開示されている。燃料電池から排出されるオフガス中の残燃料を燃焼器で燃焼させ、これにより得られた燃焼ガスを蒸発器に供給することで、燃焼ガスとの熱交換により原燃料を加熱し、蒸発させるものである。
【先行技術文献】
【特許文献】
【０００３】
【特許文献１】特開２００３−１９７２３６号公報（段落００１６）
【発明の概要】
【発明が解決しようとする課題】
【０００４】
ここで、燃料電池の負荷の変化、特に負荷の低下に対し、原燃料および酸化剤ガスの流量を一定の割合で減少させる場合は、蒸発器に供給される燃焼ガスが有する熱量に不足が生じ、原燃料を充分に蒸発させることができなくなるという問題がある。原燃料の蒸発が不充分になると、蒸発器の下流側に備わる改質器に原燃料が液体の状態のまま供給されたり、燃料電池に未改質のガスが供給されたりして、改質器または燃料電池、特に改質器等に備わる触媒に劣化を生じさせてしまう。
【０００５】
本発明は、蒸発器に対し、燃料電池の負荷によらず原燃料の蒸発に必要な熱量の供給を可能として、蒸発器を適切に動作させることのできる燃料電池システムおよびその制御方法を提供することを目的とする。
【課題を解決するための手段】
【０００６】
本発明の一形態では、燃料電池と、燃料電池のアノード排出通路およびカソード排出通路に接続され、燃料電池のオフガス中の残燃料を燃焼させる燃焼器と、燃料電池の原燃料を蒸発させる蒸発器であって、燃焼器に対し、残燃料の燃焼ガスが有する熱量により原燃料を加熱可能に接続された蒸発器と、蒸発器に原燃料を供給する燃料供給装置と、燃料電池に酸化剤ガスを供給する酸化剤ガス供給装置と、燃料供給装置および酸化剤ガス供給装置を制御する供給制御部と、を備える燃料電池システムが提供される。本形態において、供給制御部は、燃料電池の要求出力に応じた原燃料の流量を必要流量として、燃料電池の負荷の低下に対し、原燃料の必要流量に対する実際の流量の比である燃料過剰率を、蒸発器の入口側で燃焼ガスが有する排気熱流をＡとし、蒸発器における原燃料と燃焼ガスとの熱交換効率をＢとし、蒸発器における原燃料の蒸発に要する燃料蒸発熱流をＣとして、Ａ×Ｂ／Ｃ＞１となる燃料過剰率に制御する。
【０００７】
他の形態では、燃料電池システムの制御方法が提供される。
【発明の効果】
【０００８】
本発明によれば、蒸発器に対し、燃料電池の負荷によらず、原燃料の消費を極力抑えながら原燃料の蒸発に必要な熱量を供給することが可能となり、蒸発器を適切に動作させることができる。原燃料に付与される熱量が確保されることから、エタノール水溶液等、比較的に蒸発させ難い性質のものを原燃料とする場合に、特に有効である。
【図面の簡単な説明】
【０００９】
【図１】図１は、本発明の一実施形態に係る燃料電池システムの全体的な構成を示す概略図である。
【図２】図２は、同上実施形態に係る燃料電池システムの起動時における動作を示す説明図である。
【図３】図３は、同上実施形態に係る燃料電池システムの通常時における動作を示す説明図である。
【図４】図４は、同上実施形態に係る燃料電池システムの通常時における動作の他の例を示す説明図である。
【図５】図５は、燃料電池の出力に対する熱流比（＝排気熱流／燃料蒸発熱流）の変化を示す説明図である。
【図６】図６は、燃料電池システムの部位に応じた熱流の関係を示す説明図である。
【図７】図７は、燃料電池システムの低負荷運転時における発電制御の流れを示すフローチャートである。
【図８】図８は、同上発電制御における目標空気過剰率設定処理の具体的な内容を示すフローチャートである。
【図９】図９は、燃料電池システムの放熱量（システム放熱量）の設定傾向を示す説明図である。
【図１０】図１０は、外気温に関する燃料過剰率補正値の設定傾向を示す説明図である。
【図１１】図１１は、大気圧に関する燃料過剰率補正値の設定傾向を示す説明図である。
【図１２】図１２は、燃料過剰率に基づく酸化剤ガス流量の設定傾向を示す説明図である。
【発明を実施するための形態】
【００１０】
以下、図面を参照して、本発明の実施形態について説明する。
【００１１】
（燃料電池システムの全体構成）
図１は、本発明の一実施形態に係る燃料電池システムＳの構成を概略的に示している。
【００１２】
本実施形態に係る燃料電池システム（以下「燃料電池システム」といい、単に「システム」という場合がある）Ｓは、燃料電池スタック１と、燃料処理部２１〜２３と、酸化剤ガス加熱部３と、燃焼器４と、コントローラ１０１と、を備える。
【００１３】
燃料電池スタック（以下、単に「スタック」という場合がある）１は、複数の燃料電池または燃料電池単位セルを積層して構成され、発電源である個々の燃料電池は、例えば、固体酸化物形燃料電池（ＳＯＦＣ）である。
【００１４】
燃料処理部２１〜２３は、一次燃料である原燃料を処理し、燃料電池での発電反応に用いられる燃料ガスに変換する。燃料処理部２１〜２３は、アノード供給通路１１に介装され、原燃料の供給を受ける。本実施形態において、原燃料は、含酸素燃料と水との混合物であり、アノード供給通路１１に接続された燃料タンク７に貯蔵されている。本実施形態に適用可能な原燃料として、エタノールと水との混合物（つまり、エタノール水溶液）を例示することができ、その場合の燃料ガスは、エタノールの改質により得られる水素である。
【００１５】
酸化剤ガス加熱部３は、酸化剤ガスを燃料電池スタック１への供給前に加熱する。酸化剤ガス加熱部３は、カソード供給通路１２に介装され、酸化剤ガスの供給を受ける。酸化剤ガスは、例えば、空気であり、大気中の空気を燃料電池のカソード極に供給することで、発電反応に用いられる酸素をカソード極に供給することが可能である。
【００１６】
ここで、固体酸化物形燃料電池のアノード極およびカソード極での発電に係る反応は、次式により表すことができる。
アノード極：  ２Ｈ2＋４Ｏ2-  →  ２Ｈ2Ｏ＋４ｅ-  …（１．１）
カソード極：  Ｏ2＋４ｅ-  →  ２Ｏ2-  …（１．２）
【００１７】
燃焼器４は、燃料電池スタック１から排出されるオフガス中の残燃料を燃焼させ、燃焼ガスを生成する。本実施形態において、燃焼器４は、アノード排出通路１１ｅｘｈおよびカソード排出通路１２ｅｘｈに接続され、これらの通路１１ｅｘｈ、１２ｅｘｈを通じてアノードオフガスおよびカソードオフガスの供給を受ける。燃焼ガスが有する熱量は、燃料処理部２１〜２３および酸化剤ガス加熱部３に供給され、原燃料および酸化剤ガスの加熱に用いられる。
【００１８】
燃料電池システムＳの構成についてさらに説明すると、燃料電池スタック１は、アノード系において、燃料電池のアノード極に燃料ガスを供給するためのアノード供給通路１１と、アノード極から排出される発電反応後のアノードオフガスを流すためのアノード排出通路１１ｅｘｈと、を備える一方、カソード系において、燃料電池のカソード極に酸化剤ガスを供給するためのカソード供給通路１２と、カソード極から排出される発電反応後のカソードオフガスを流すためのカソード排出通路１２ｅｘｈと、を備える。
【００１９】
そして、燃料タンク７と燃料電池スタック１とが、アノード供給通路１１を介して接続され、アノード供給通路１１には、流れの方向に関して上流側から順に、蒸発器２１、燃料熱交換器２２および改質器２３が介装されている。さらに、蒸発器２１の上流側でアノード供給通路１１から分岐燃料通路１１ｓｕｂが分岐し、分岐燃料通路１１ｓｕｂは、燃焼器４に接続されている。分岐燃料通路１１ｓｕｂの分岐点と蒸発器２１との間のアノード供給通路１１に第１燃料インジェクタ５１が介装され、分岐燃料通路１１ｓｕｂに第２燃料インジェクタ５２が介装されている。
【００２０】
蒸発器２１は、燃料タンク７から原燃料であるエタノール水溶液の供給を受け、これを加熱して蒸発させ、エタノールガスおよび水蒸気を生成する。
【００２１】
燃料熱交換器２２は、燃焼器４から燃焼ガスの熱量を受け、エタノールガスおよび水蒸気をさらに加熱する。
【００２２】
改質器２３は、改質用触媒を内蔵し、気体の状態にあるエタノールから、水蒸気改質により水素を生成する。水蒸気改質は、次式により表すことができる。
Ｃ2Ｈ5ＯＨ＋３Ｈ2Ｏ  →  ６Ｈ2＋２ＣＯ2  …（２）
【００２３】
酸化剤ガス加熱部３は、空気熱交換器により構成され、燃焼器４から燃焼ガス通路１３を通じて供給される燃焼ガスとの熱交換により、カソード供給通路１２を流れる酸化剤ガスを加熱する。本実施形態では、カソード供給通路１２の開放端付近にブロアないしエアコンプレッサ６が設置され、酸化剤ガスとして大気中の空気が、ブロア６を介してカソード供給通路１２に吸入される。吸入された空気は、酸化剤ガス加熱部３を通過する際に常温（例えば、２５℃）から昇温され、燃料電池スタック１に供給される。
【００２４】
燃焼器４は、燃焼用触媒を内蔵し、燃料電池スタック１からアノードオフガスの供給を受け、アノードオフガス中の残燃料の触媒燃焼により燃焼ガスを生成する。燃焼器４は、アノードオフガスに加え、分岐燃料通路１１ｓｕｂを通じて原燃料であるエタノール水溶液の供給を受けることも可能であり、その場合は、燃焼ガスの生成に際し、残燃料に加えてエタノールをも燃焼させる。本実施形態では、燃焼器４と蒸発器２１とが燃焼ガス通路１３を介して接続される一方、燃料熱交換器２２および改質器２３が燃焼器４と共用のケースＬに収容され（ケースＬを、二点鎖線により概念的に示す）、燃焼ガスの熱量がケースＬの内部で燃料熱交換器２２および改質器２３に効率的に伝わるように構成されている。
【００２５】
コントローラ１０１は、燃料電池システムＳの運転中、蒸発器２１および燃焼器４に対する原燃料の供給を制御するとともに、酸化剤ガス加熱部３に対する酸化剤ガスの供給を制御する。コントローラ１０１は、電子制御ユニットとして構成することが可能である。第１燃料インジェクタ５１、第２燃料インジェクタ５２およびブロア６は、コントローラ１０１からの信号に応じて作動し、蒸発器２１および燃焼器４に原燃料を供給するとともに、酸化剤ガス加熱部３に酸化剤ガスを供給する。
【００２６】
燃料電池スタック１の発電電力は、図示しないバッテリを充電したり、電動モータまたはモータジェネレータ等の外部装置を駆動したりするのに用いることが可能である。例えば、燃料電池システムＳは、車両用の駆動システムに適用することが可能であり、燃料電池スタック１の定格運転により生じた電力をバッテリに充電したり、車両の目標駆動力に応じた電力をバッテリおよび燃料電池スタック１から走行用のモータジェネレータに供給したりすることができる。
【００２７】
（制御システムの構成および基本的な動作）
本実施形態において、コントローラ１０１は、中央演算ユニット（ＣＰＵ）、ＲＯＭおよびＲＡＭ等の各種記憶ユニット、入出力インターフェース等を備えるマイクロコンピュータからなる電子制御ユニットとして構成され、第１燃料インジェクタ５１、第２燃料インジェクタ５２およびブロア６等、燃料電池システムＳの運転に要する各種装置ないし部品の動作を制御する。
【００２８】
コントローラ１０１は、燃料電池システムＳの制御に関わる情報として、スタック温度Ｔｓｔｋを検出するスタック温度センサ２０１からの信号、燃料流量Ｆｆを検出する燃料流量センサ２０２からの信号、空気流量Ｆａを検出する空気流量センサ２０３からの信号、燃焼ガス流量Ｆｃを検出する燃焼ガス流量センサ２０４からの信号、燃料温度Ｔｆを検出する燃料温度センサ２０５からの信号、燃焼ガス温度Ｔｃを検出する燃焼ガス温度センサ２０６からの信号、外気温Ｔａｔｍを検出する外気温センサ２０７からの信号、大気圧Ｐａｔｍを検出する大気圧センサ２０８からの信号を入力するほか、システム起動スイッチ２０９からの信号を入力する。
【００２９】
スタック温度Ｔｓｔｋは、燃料電池スタック１または燃料電池の温度を示す指標であり、本実施形態では、燃料電池スタック１のカソード出口付近にスタック温度センサ１０１を設置し、スタック温度センサ２０１により検出された温度をもってスタック温度Ｔｓｔｋとする。
【００３０】
燃料流量Ｆｆは、蒸発器２１に供給される原燃料の流量である。本実施形態では、蒸発器２１の上流側のアノード供給通路１１に燃料流量センサ２０２を設置し、燃料流量センサ２０２により検出された流量をもって燃料流量Ｆｆとする。
【００３１】
空気流量Ｆａは、燃料電池スタック１に供給される酸化剤ガスの流量である。本実施形態では、酸化剤ガス加熱部３の上流側のカソード供給通路１２に空気流量センサ２０３を設置し、空気流量センサ２０３により検出された流量をもって空気流量Ｆａとする。
【００３２】
燃焼ガス流量Ｆｃは、蒸発器２１に供給される燃焼ガスの流量である。本実施形態では、蒸発器２１の上流側、具体的には、酸化剤ガス加熱部３と蒸発器２１との間の燃焼ガス通路１３に燃焼ガス流量センサ２０４を設置し、燃焼ガス流量センサ２０４により検出された流量をもって燃焼ガス流量Ｆｃとする。
【００３３】
燃料温度Ｔｆは、蒸発器２１に供給される原燃料の温度である。本実施形態では、蒸発器２１の上流側のアノード供給通路１１に燃料温度センサ２０５を設置し、燃料温度センサ２０５により検出された温度をもって燃料温度Ｔｆとする。
【００３４】
燃焼ガス温度Ｔｃは、蒸発器２１に供給される燃焼ガスの温度である。本実施形態では、蒸発器２１の上流側、具体的には、酸化剤ガス加熱部３と蒸発器２１との間の燃焼ガス通路１３に燃焼ガス温度センサ２０６を設置し、燃焼ガス温度センサ２０６により検出された温度をもって燃焼ガス温度Ｔｃとする。
【００３５】
コントローラ１０１は、システム起動スイッチ２０９から燃料電池システムＳの起動要求を入力すると、燃料電池スタック１の暖機を行う起動制御を実行する。燃料電池スタック１の暖機とは、停止中に低温（例えば、常温）にあった燃料電池スタック１をその動作温度にまで昇温させることをいう。
【００３６】
そして、燃料電池スタック１の温度が動作温度に達すると、コントローラ１０１は、起動制御を終了し、通常時の発電制御に移行する。通常時では、基本的には、燃料電池スタック１をその定格点で運転させ、定格運転に要する流量の原燃料を、第１燃料インジェクタ５２を介して蒸発器２１に供給する。ここで、燃料電池スタック１の定格運転とは、燃料電池スタック１の最大発電出力での運転をいう。
【００３７】
図２、３は、燃料電池システムＳの動作を示す。図２は、起動時における動作を、図３は、通常時における動作を、夫々示している。図中矢印付きの太線は、ガスまたは液体の流れのある通路を、点線は、流れのない通路を示す。
【００３８】
起動時（図２）では、第１燃料インジェクタ５１を停止させる一方、第２燃料インジェクタ５２を作動させ、燃料タンク７に貯蔵されている原燃料を、第２燃料インジェクタ５２を介して燃焼器４に供給する。他方で、大気中の空気をブロア６によりカソード供給通路１２に取り込み、酸化剤ガス加熱部３を介して燃料電池スタック１に供給する。燃料電池スタック１を通過した空気は、カソード排出通路１２ｅｘｈを通じ、原燃料の酸化剤として燃焼器４に供給される。燃焼により生じた燃焼ガスが燃焼ガス通路１３を通じて酸化剤ガス加熱部３および蒸発器２１に供給され、その一方で、燃焼ガスの熱量がケースＬの内部で燃料熱交換器２２および改質器２３に伝達される。よって、起動時では、原燃料の燃焼により生じた輻射熱により燃料電池スタック１が加熱されるとともに、酸化剤ガス加熱部３で加熱された空気を熱媒体としてさらに加熱され、燃焼電池スタック１の昇温が促進される。起動時では、原燃料の供給流量（つまり、第２燃料インジェクタ５２の噴射流量）は、スタック温度Ｔｓｔｋをもとに設定する。
【００３９】
これに対し、通常時（図３）では、第２燃料インジェクタ５２を停止させる一方、第１燃料インジェクタ５１を作動させ、原燃料を、第１燃料インジェクタ５１を介して蒸発器２１に供給する。これに併せ、ブロア６を作動させ、酸化剤ガスである空気を、酸化剤ガス加熱部３を介して燃料電池スタック１に供給する。燃料電池スタック１から排出される発電反応後のオフガス（アノードオフガス、カソードオフガス）は、アノード排出通路１１ｅｘｈおよびカソード排出通路１２ｅｘｈを通じて燃焼器４に供給される。アノードオフガス中の残燃料が燃焼器４で燃焼し、これにより生じた燃焼ガスが燃焼ガス通路１３を通じて酸化剤ガス加熱部３および蒸発器２１に供給される一方、燃焼ガスの熱量がケースＬの内部で燃料熱交換器２２および改質器２３に伝達される。これにより、燃料処理部２１〜２３および酸化剤ガス加熱部３が加熱され、蒸発器２１が原燃料（エタノール水溶液）を蒸発可能な温度に維持されるとともに、改質器２３が原燃料（エタノール）を改質可能な温度に維持される。通常時では、原燃料の供給流量（つまり、第１燃料インジェクタ５１の噴射流量）は、燃料電池スタック１に要求される出力、換言すれば、燃料電池システム１の負荷をもとに設定する。蒸発器２１および改質器２３の温度維持に必要な熱量を生じさせるのにアノードオフガス中の残燃料だけでは不足する場合は、第２燃料インジェクタ５２を作動させ、燃焼器４に対し、第２燃料インジェクタ５２を介して原燃料を供給することも可能である（図４）。
【００４０】
ここで、暖機後の通常時に燃料電池スタック１の負荷を下げて運転する場合、例えば、低負荷域での定常運転時または低負荷側への出力変動時に、燃料電池スタック１の負荷の低下に対し、原燃料および酸化剤ガスの流量を一定の割合で減少させたとすると、燃料電池システムＳに投入されたエネルギ全体のうち、排熱として利用可能な熱流が減少し、蒸発器２１に供給される燃焼ガスが有する熱量に、原燃料の蒸発に要する熱流に対する不足が生じる。これにより、原燃料を充分に蒸発させることができなくなり、改質器２３に原燃料が液体の状態のまま供給されたり、燃料電池スタック１に未改質のガスが供給されたりして、改質器２３または燃料電池スタック１に備わる触媒に劣化を生じさせることが懸念される。ここで、低負荷域での定常運転時として、バッテリの充電状態が充分であり、燃料電池スタック１の高負荷ないし中負荷での発電を必要としない場合を例示することができる。本実施形態において、「熱流」とは、単位時間当たりに通過する熱量［Ｊ／ｓ］をいう。
【００４１】
図５は、燃料電池スタック１の出力Ｐに対する熱流比Ｒｈｆの変化を示している。ここで、熱流比Ｒｈｆとは、排気熱流の、燃料蒸発熱流に対する比（＝排気熱流／燃料蒸発熱流）をいう。排気熱流とは、蒸発器２１の入口側ないし上流側で燃焼ガスが有する熱流をいい、燃料蒸発熱流とは、蒸発器２１における原燃料の蒸発に要する熱流をいう。排気熱流は、燃焼ガス流量Ｆｃおよび燃焼ガス温度Ｔｃと相関し、これらの状態量をもとに算出することが可能であり、燃料蒸発熱流は、燃料流量Ｆｆおよび燃料温度Ｔｆと相関し、これらの状態量をもとに算出することが可能である。
【００４２】
図５に示すように、燃料過剰率ηを一定とし、原燃料および酸化剤ガスの流量を負荷の低下に対して一定の割合で減少させたとすると、熱流比Ｒｈｆは、１に向けて徐々に減少する。熱流比Ｒｈｆが１に近付くほど、排気熱流は、燃料蒸発熱流に対して不足しがちとなる。排気熱流の不足は、原燃料の蒸発が不充分となることを意味する。そして、原燃料の蒸発が不充分となると、改質器２３に原燃料の一部が液体の状態で供給されたり、燃料電池スタック１に未改質のガスが供給されたりして、改質器２３または燃料電池スタック１に備わる触媒に劣化を生じさせる。
【００４３】
本実施形態では、燃料電池スタック１の負荷の低下に対し、燃料過剰率ηを増大させることで、蒸発器２１に対し、燃料電池スタック１の負荷によらず原燃料の蒸発に必要な熱流の供給を可能とする。具体的には、燃料電池スタック１の要求出力Ｐに応じた原燃料の流量を必要流量として、燃料電池スタック１の負荷の低下に対し、原燃料の必要流量に対する実際の流量の比である燃料過剰率ηを、排気熱流をＡとし、蒸発器２１における原燃料と燃焼ガスとの熱交換効率をＢとし、燃料蒸発熱流をＣとして、熱流比＝Ａ×Ｂ／Ｃが１よりも大きくなるように制御する。
【００４４】
図６は、燃料電池ステムＳの各部における熱流ＨＦ１〜ＨＦ６の関係を概念的に示している。これに限定されるものではないが、本実施形態では、熱流比（＝Ａ×Ｂ／Ｃ）が１よりも大きくなる燃料過剰率ηとして、１．２を採用する。「燃料過剰率」とは、燃料電池スタック１の要求出力Ｐに応じた原燃料の流量を必要流量とした場合の、原燃料の必要流量に対する実際の流量の比をいう。後に述べるように、燃料電池スタック１の要求出力Ｐを２．０ｋＷとする本実施形態では、要求出力Ｐ（＝２．０ｋＷ）を流量に換算したものが原燃料の必要流量に相当し、原燃料の必要流量（＝２．０ｋＷ）に対する実際の流量（＝２．４ｋＷ）の比が、「燃料過剰率」に相当する。
【００４５】
図６に示す符号ＨＦ１〜ＨＦ６は、次の熱流を示す。既に述べたように、「熱流」とは、対象とする部位を単位時間当たりに通過する熱量である。
ＨＦ１：蒸発器２１に供給される原燃料が有する熱流（燃料熱流）
ＨＦ２：蒸発器２１における原燃料の蒸発に要する熱流（燃料蒸発熱流）
ＨＦ３：改質器２３における改質反応（水蒸気改質）で吸収される熱流（吸収熱流）
ＨＦ４：燃焼器４で生成された燃焼ガスが有する熱流（燃焼ガス熱流）
ＨＦ５：蒸発器２１の入口側で燃焼ガスが有する熱流（排気熱流）
ＨＦ６：蒸発器２１における熱交換効率ηｖａｐに応じた放出熱流
【００４６】
燃料過剰率ηを１．２とする条件のもと、燃料電池スタック１の要求出力Ｐを２．０ｋＷとし、燃料電池システムＳからの放熱量（以下「システム放熱量」という）Ｑを０．３ｋＷとした場合の上記各熱流ＨＦ１〜ＨＦ６を示すと、次のようである。ここで、燃料蒸発熱流ＨＦ２および吸収熱流ＨＦ３は、原燃料の種類、流量および温度等をもとに予め推定することが可能であり、本実施形態では、夫々燃料熱流ＨＦ１の２０％、１０％とする。
【００４７】
燃料熱流ＨＦ１＝Ｐ×η＝２．４ｋＷ
燃料蒸発熱流ＨＦ２＝ＨＦ１×０．２＝０．４８ｋＷ
吸収熱流ＨＦ３＝ＨＦ１×０．１＝０．２４ｋＷ
燃焼ガス熱流ＨＦ４＝ＨＦ１＋ＨＦ２＋ＨＦ３−Ｐ−Ｑ＝０．８２ｋＷ
排気熱流ＨＦ５＝ＨＦ４−ＨＦ３＝０．５８ｋＷ
放出熱流ＨＦ６＝ＨＦ５（１−ηｖａｐ）
【００４８】
ここで、熱流比（＝Ａ×Ｂ／Ｃ）は、次の関係を満たすものである。
｛１．２−Ｑ／（Ｐ×η）−１／η｝×ηｖａｐ／０．２＞１  …（３）
【００４９】
燃料過剰率ηは、熱流比（＝Ａ×Ｂ／Ｃ）が燃料電池スタック１の負荷によらず１よりも大きくなる範囲で、負荷を問わず一定としてもよいし、熱流比（＝Ａ×Ｂ／Ｃ）が１を超えながらもできるだけ小さくなるように、負荷の低下に対して増大させてもよい。
【００５０】
燃料蒸発熱流ＨＦ２（＝Ｑｖ）は、次のようにして求めることが可能である。
Ｑｖ＝Ｆｆｕｅｌ×ＬＨＶ×α
【００５１】
Ｆｆｕｅｌは、蒸発器２１に供給される原燃料の流量を示し、ＬＶＨは、原燃料の低位発熱量を示す。さらに、αは、原燃料の種類または組成に応じて異なる所定値である。
【００５２】
燃料蒸発熱流Ｑｖの算出は、原燃料の温度Ｔｆｕｅｌを考慮した場合に、次のようである。
Ｑｖ＝Ｆｆｕｅｌ×ＬＨＶ×α×（１＋β×（Ｔｆｕｅｌ０−Ｔｆｕｅｌ）／（Ｔｆｕｅｌ０−２５））
【００５３】
Ｔｆｕｅｌ０は、原燃料の気化温度を示し、βは、原燃料の種類または組成に応じて異なる所定値である。
【００５４】
燃料蒸発熱流Ｑｖをエンタルピの観点から求める場合の計算は、次式による。
Ｑｖ＝Ｆｆｕｅｌ×（Ｈ＿ｈ2ｏ（Ｔｆｕｅｌ０）−Ｈ＿ｈ2ｏｌ（Ｔｆｕｅｌ））
【００５５】
Ｈ＿ｈ2ｏは、水（ガス）のエンタルピを、Ｈ＿ｈ2ｏｌは、水（液体）のエンタルピを示す。
【００５６】
このように、燃料蒸発熱流Ｑｖは、蒸発器２１に供給される、換言すれば、蒸発器２１の入口側における原燃料の流量Ｆｆｕｅｌおよび温度Ｔｆｕｅｌに応じたものとなる。
【００５７】
ここで、原燃料の流量Ｆｆｕｅｌおよび温度Ｔｆｕｅｌは、「原燃料の状態量」に該当する。
【００５８】
他方で、排気熱流ＨＦ５（＝Ｑｅ）は、次のようにして求めることが可能である。
Ｑｅ＝Ｆｅｘｈ×Ｃｐ＿ｅ×（Ｔｅｘｈ−Ｔ０）
【００５９】
Ｆｅｘｈは、蒸発器２１の入口側を流れる燃焼ガスの流量を示し、Ｃｐ＿ｅは、システムに供給される空気と原燃料との割合（空気燃料比λ）に応じた比熱を示す。さらに、Ｔｅｘｈは、蒸発器２１の入口側における燃焼ガスの温度を、Ｔ０は、外気温を示す。
【００６０】
排気熱流Ｑｅをエンタルピの観点から求める場合の計算は、次式による。
Ｑｅ＝Ｆｅｘｈ×（α×Ｈ＿ｃｏ2（Ｔｅｘｈ）＋β×Ｈ＿ｈ2ｏ（Ｔｅｘｈ）＋γ×Ｈ＿ｏ2（Ｔｅｘｈ）＋ζ×Ｈ＿ｎ2（Ｔｅｘｈ））
【００６１】
α、β、γおよびζは、完全燃焼時における燃焼ガスの組成に応じた係数であり、空気の流量と燃焼ガスの温度とから算出することが可能である。Ｈは、燃焼ガスの成分毎のエンタルピを示し、Ｈ＿ｃｏ2は、二酸化炭素のエンタルピを、Ｈ＿ｈ2ｏは、水（ガス）のエンタルピを、Ｈ＿ｏ2は、酸素のエンタルピを、Ｈ＿ｎ2は、窒素のエンタルピを示す。
【００６２】
このように、排気熱流Ｑｅは、蒸発器２１の入口側における燃焼ガスの流量Ｆｅｘｈおよび温度Ｔｅｘｈに応じたものとなる。
【００６３】
ここで、燃焼ガスの流量Ｆｅｘｈおよび温度Ｔｅｘｈは、「燃焼ガスの状態量」に該当する。
【００６４】
（フローチャートによる説明）
図７および８は、コントローラ１０１が通常時に実行する発電制御（以下「通常制御」という）の内容をフローチャートにより示している。図７は、通常制御の全体的な流れを示し、図８は、通常制御における目標燃料過剰率設定処理の具体的な内容を示している。
【００６５】
本実施形態において、コントローラ１０１は、通常制御を所定時間毎に実行するようにプログラムされており、目標燃料過剰率設定処理は、図７に示す基本ルーチンのサブルーチン（Ｓ１０６）として構成される。
【００６６】
Ｓ１０１では、各種センサの出力を読み込む。具体的には、スタック温度Ｔｓｔｋ、燃料流量Ｆｆ、空気流量Ｆａ、燃焼ガス流量Ｆｃ、燃料温度Ｔｆ、燃焼ガス温度Ｔｃ、外気温Ｔａｔｍおよび大気圧Ｔａｔｍ等を読み込む。燃料電池システムＳが車載用であり、車両の駆動源を構成する場合は、以上に加え、アクセル開度ＡＰＯおよび車速ＶＳＰ等を読み込む。アクセル開度ＡＰＯは、車両の要求駆動力を示す指標である。
【００６７】
Ｓ１０２では、燃料電池システムＳの暖機が完了しているか否かを判定する。暖機が完了している場合は、Ｓ１０３へ進み、暖機が完了しておらず、未だ暖機中である場合は、通常制御を終了し、別途設定された暖機制御を実行する。燃料電池システムＳの暖機が完了しているか否かは、スタック温度Ｔｓｔｋをもとに判定することが可能である。
【００６８】
Ｓ１０３では、燃料電池スタック１の要求出力Ｐを算出する。燃料電池システムＳが車両の駆動源を構成する場合に、要求出力Ｐは、アクセル開度ＡＰＯおよび車速ＶＳＰに基づき算出することが可能である。
【００６９】
Ｓ１０４では、燃料電池スタック１の要求出力Ｐが低負荷域にあるか否かを判定する。要求出力Ｐが低負荷域の上限を示す所定負荷以下であり、低負荷域にある場合は、Ｓ１０５へ進み、低負荷域にない場合は、Ｓ１０５以降の処理を行わず、中負荷および高負荷域用に別途設定された処理を実行する。
【００７０】
Ｓ１０５では、システム放熱量Ｑを算出する。本実施形態において、システム放熱量Ｑの算出は、外気温Ｔａｔｍおよび大気圧Ｐａｔｍに応じてシステム放熱量Ｑを割り付けた図９に示す傾向のマップを参照して行う。システム放熱量Ｑは、外気温Ｔａｔｍおよび大気圧Ｐａｔｍのいずれの低下に対しても増加する傾向を有する。
【００７１】
Ｓ１０６では、目標燃料過剰率ηｆｕｅｌを算出する。
【００７２】
Ｓ１０７では、目標燃料過剰率ηｆｕｅｌに応じた燃料流量Ｆｆを算出する。燃料流量Ｆｆの算出は、燃料熱流ＨＦ１（＝Ｐ×η）を算出し、これを下式により原燃料の流量Ｆｆに換算することによる。コントローラ１０１は、燃料流量Ｆｆに応じた信号を第１燃料インジェクタ５１に送信し、流量Ｆｆの原燃料を、第１燃料インジェクタ５１を介して蒸発器２１に供給する。
Ｆｆ＝（Ｐ×η）／ＬＨＶ  …（４）
式（４）中、ＬＨＶは、原燃料の低位発熱量を示す。
【００７３】
Ｓ１０８では、空気流量Ｆａを算出する。本実施形態において、空気流量Ｆａの算出は、燃焼器４における熱収支を表す次式に基づき行う。次式により、空気流量Ｆａとして、燃焼器４の温度をその上限温度以下に抑えることのできる酸化剤ガスの下限流量が与えられる。よって、この下限流量を低負荷運転時における空気流量Ｆａに設定する。このようにして設定される空気流量Ｆａは、例えば、出口温度Ｔｏｕｔの上昇に対して増大する傾向を有する。これにより、酸化剤ガス（空気）の供給に費やすエネルギを極力削減しながら、燃焼器４の過度な昇温を回避することが可能となる。出口温度Ｔｏｕｔは、スタック温度Ｔｓｔｋで代用することができる。
Ｈｆ／（Ｃｐｆ×Ｆｆ＋Ｃｐａ×Ｆａ）＜（Ｔｍａｘ−Ｔｏｕｔ）  …（５）
【００７４】
式（４）に用いられる符号が示すのは、夫々次のようである。
Ｔｏｕｔ：燃料電池スタック１の出口温度
Ｃｐｆ：原燃料の比熱
Ｃｐａ：空気の比熱
Ｔｍａｘ：燃焼器４の上限温度
【００７５】
そして、コントローラ１０１は、空気流量Ｆａに応じた信号をブロア６に送信し、流量Ｆａの酸化剤ガス（つまり、空気）を、ブロア６を介して酸化剤ガス加熱部３に供給する。
【００７６】
図８に移り、Ｓ２０１では、基本燃料過剰率ηｂａｓｅを算出する。基本燃料過剰率ηｂａｓｅは、式（３）により与えられるものであり、本実施形態では、低負荷域の要求出力Ｐに対応させて予め設定され、要求出力Ｐが大きいときほど小さな値として算出される。
【００７７】
Ｓ２０２では、外気温Ｔａｔｍに関する燃料過剰率補正値（以下「外気温補正値」という）ＨＯＳａを算出する。外気温補正値ＨＯＳａは、外気温Ｔａｔｍが高いときほど小さな値として算出される。これは、外気温Ｔａｔｍが上昇するほど燃焼ガスからの放熱量が減少し、排熱に利用可能な熱流、つまり、排気熱流ＨＦ５が増大するためである。
【００７８】
Ｓ２０３では、大気圧Ｐａｔｍに関する燃料過剰率補正量（以下「大気圧補正値」という）ＨＯＳｂを算出する。大気圧補正値ＨＯＳｂは、大気圧Ｐａｔｍが高いときほど大きな値として算出される。これは、大気圧Ｐａｔｍの上昇により燃焼ガスの組成が変化し、原燃料がエタノール水溶液である場合は、大気圧Ｐａｔｍが上昇するほど燃焼ガス中のメタンが増加するため、燃焼ガスの体積流量が減少し、蒸発器２１における熱交換効率が低下するためである。つまり、燃焼ガスの組成変化による熱交換効率の低下を、排気熱流ＨＦ５の増大により補うのである。
【００７９】
Ｓ２０４では、基本燃料過剰率ηｂａｓｅを外気温補正値ＨＯＳａおよび大気圧補正値ＨＯＳｂにより補正し、目標燃料過剰率ｆｕｅｌを算出する。
ηｆｕｅｌ＝ηｂａｓｅ×ＨＯＳａ×ＨＯＳｂ  …（６）
【００８０】
本実施形態では、燃料電池スタック１により「燃料電池」が構成され、燃焼器４により「燃焼器」が構成され、蒸発器２１により「蒸発器」が構成され、第１燃料インジェクタ５１により「燃料供給装置」が構成され、ブロア６により「酸化剤ガス供給装置」が構成され、コントローラ１０１により「供給制御部」が構成される。
【００８１】
（作用効果の説明）
本実施形態に係る燃料電池システムＳは、以上のように構成され、本実施形態により得られる作用および効果について、以下に説明する。
【００８２】
第１に、燃料電池スタック１の要求出力Ｐに応じた原燃料の流量を必要流量（例えば、２．０ｋＷ）として、負荷ないし要求出力Ｐの低下に対し、原燃料の必要流量に対する実際の流量（例えば、２．４ｋＷ）の比である燃料過剰率ηを、排気熱流をＡとし、蒸発器２１における熱交換効率をＢとし、燃料蒸発熱流をＣとして、Ａ×Ｂ／Ｃ＞１となる燃料過剰率ηに制御した。これにより、蒸発器２１に対し、燃料電池システムＳの負荷によらず、原燃料の消費を極力抑えながら原燃料の蒸発に必要な熱量の供給を可能として、蒸発器２１を適切に動作させることができる。そして、このようにして原燃料に付与される熱量が確保されることから、本実施形態のように、エタノール水溶液を原燃料とする場合に、特に有効である。
【００８３】
ここで、燃料電池スタック１の要求出力Ｐの低下に対して燃料過剰率ηを増大させることで、燃焼ガスにより蒸発器２１に付与される熱量に原燃料の蒸発に必要な熱量に対する不足が生じた場合に、排気熱流ＨＦ５を増大させることにより不足分の熱量を補い、蒸発器２１の動作の適正化を促すことができる。
【００８４】
第２に、燃料電池スタック１の要求出力Ｐ、外気温Ｔａｔｍおよび大気圧Ｐａｔｍに基づき、例えば、式（３）により燃料過剰率ηを算出可能とすることで、燃料過剰率ηを予め計算しておくだけでなく、実際の運転時に、実際の外気温Ｔａｔｍ等に応じた適切な燃料過剰率ηを採用することが可能となる。
【００８５】
第３に、燃料電池スタック１の出口温度Ｔｏｕｔを検出し、出口温度Ｔｏｕｔの上昇に対して酸化剤ガスの流量を増大させることで、燃焼器４を適度に冷却し、燃焼器４の過度な昇温を回避することが可能となる。そして、燃焼器４における熱収支の観点から、式（５）により酸化剤ガスの流量を算出することで、酸化剤ガスの下限流量の設定を可能として、酸化剤ガスの供給に費やすエネルギを削減することができる。
【００８６】
第４に、外気温Ｔａｔｍに応じた燃料過剰率補正値（外気温補正値）ＨＯＳａを設定し、外気温補正値ＨＯＳａにより燃料過剰率ηを補正したことで、外気温Ｔａｔｍの上昇に対し、燃焼ガスからの放熱量の低下を考慮した燃料過剰率ηの設定が可能となる。具体的には、外気温Ｔａｔｍの上昇に対して燃料過剰率を減少させることで、原燃料の消費を抑制することができる。
【００８７】
第５に、大気圧Ｐａｔｍに応じた燃料過剰率補正値（大気圧補正値）ＨＯＳｂを設定し、大気圧補正値ＨＯＳｂにより燃料過剰率ηを補正したことで、大気圧Ｐａｔｍの上昇に対し、燃焼ガスを熱媒体とする熱交換効率の低下を考慮した燃料過剰率ηの設定が可能となる。具体的には、大気圧Ｐａｔｍの上昇に対して燃料過剰率ηを増大させることで、熱交換効率の低下を補い、原燃料の蒸発を促すことができる。
【００８８】
さらに、燃焼ガスの流れに関して蒸発器２１よりも上流側に配置された改質器２３において、大気圧Ｐａｔｍが高く、改質器２３における吸収熱流ＨＦ３が大きい場合に、吸収熱流ＨＦ３の増大により排気熱流ＨＦ５に生じる不足分を燃料熱流ＨＦ１の増大により補い、原燃料の蒸発を促すことができる。
【００８９】
第６に、蒸発器２１の上流側における原燃料の流量Ｆｆまたは温度Ｔｆを検出し、燃料過剰率ηの制御にこれらの状態量の少なくともいずれかを反映させることで、燃料過剰率ηの制御をより適切なものとし、蒸発器２１に対し、原燃料の蒸発に必要な熱量をより確実に供給することが可能となる。そして、蒸発器２１の上流側における燃焼ガスの流量Ｆｃまたは温度Ｔｃを検出し、燃料過剰率ηの制御にこれらの状態量の少なくともいずれかを反映させることによっても燃料過剰率ηの制御の好適化を促すことが可能である。
【００９０】
本実施形態では、燃焼器４における熱収支の観点から、式（５）により空気流量Ｆａを算出したが（Ｓ１０８）、空気流量Ｆａの算出は、これに限定されるものではなく、例えば、図１２に示す傾向を有するテーブルデータからの検索によっても行うことが可能であり、これにより、空気流量Ｆａの計算の簡素化を図ることができる。ここで、燃料過剰率η（目標燃料過剰率ηｆｕｅｌ）の増加に対し、空気流量Ｆａを増大させることで、燃焼器４の過度な昇温を回避し、燃焼器４に備わる触媒の劣化を抑制することが可能である。
【００９１】
さらに、この場合は、燃料電池スタック１の要求出力Ｐの低下に対し、燃料過剰率ηを増大させることに加え、燃料電池システムＳに供給される酸化剤ガスの流量Ｆａの、原燃料の流量Ｆｆに対する比（＝Ｆａ／Ｆｆ）を増大させることになるので、蒸発器２１だけでなく燃焼器４の適切な動作をも促すことができ、低負荷運転時における燃料電池システムＳの動作をシステム全体として安定させることが可能となる。
【００９２】
以上、本発明の実施形態について説明したが、上記実施形態は、本発明の適用例の一部を示したに過ぎず、本発明の技術的範囲を、上記実施形態の具体的構成に限定する趣旨ではない。上記実施形態に対し、特許請求の範囲に記載した事項の範囲内で様々な変更および修正が可能である。
【符号の説明】
【００９３】
Ｓ…燃料電池システム
１…燃料電池スタック
２１…蒸発器
２２…燃料熱交換器
２３…改質器
３…酸化剤ガス加熱部（空気熱交換器）
４…燃焼器
５１…第１燃料インジェクタ
５２…第２燃料インジェクタ
６…ブロア
７…燃料タンク
１１…アノード供給通路
１２…カソード供給通路
１１ｅｘｈ…アノード排出通路
１２ｅｘｈ…カソード排出通路
１０１…コントローラ
【図１】
2020009723.tif 000003
【図２】
2020009723.tif 000004
【図３】
2020009723.tif 000005
【図４】
2020009723.tif 000006
【図５】
2020009723.tif 000007
【図６】
2020009723.tif 000008
【図７】
2020009723.tif 000009
【図８】
2020009723.tif 000010
【図９】
2020009723.tif 000011
【図１０】
2020009723.tif 000012
【図１１】
2020009723.tif 000013
【図１２】
2020009723.tif 000014